(57)【要約】【課題】永久磁石の磁場を、患者の患部の深部まで到達させ、患部の血流を改善する、治療効果の高い磁気治療器を得る。【解決手段】円形状の永久磁石１０，２０が、同極が密着するように永久磁石が固定して配置され、且つ、２個のコイルが差動接続されて樹脂モールドされた医療用コイル３０，４０を、前記永久磁石の外面に複数配置された磁気治療器であって、前記の円形状の永久磁石１０，２０が合成する磁場が、患者の患部の深い部位まで侵入し、永久磁石からの磁場が、患部の血流を向上する磁気治療器とする。【選択図】図２
2015139474.tif 000002
【特許請求の範囲】
【請求項１】
少なくとも２個以上の永久磁石が、同極が密着するように永久磁石が固定して配置された磁気治療器であって、
前記少なくとも2個以上の永久磁石の同極同士が合成する磁場が、前記永久磁石の同極密着部位では円弧を描かず直線的に外側または遠位、または患部であれば深部に向かう性質を利用することで、患者の患部の深い部分や遠位にまで侵入し、前記永久磁石からの磁場が、患部の血流を向上することを特徴とする磁気治療器。
【請求項２】
前記永久磁石の形状は、棒状、あるいは円盤状、あるいはリング状、あるいはＵ字型形状、あるいはシート状、あるいはテープ状、ベルト状、あるいは紐状のいずれかであることを特徴とする請求項１記載の磁気治療器。
【請求項３】
前記永久磁石は、円盤状であって、厚み方向に着磁されていて、
同極が密着され、固定金具が前記永久磁石に設置され、前記固定金具によって患者の耳たぶに配置されたことを特徴とする請求項１記載の磁気治療器。
【請求項４】
前記永久磁石は、リング状であって、リング状の厚み方向に着磁されていて、
同極が密着されて、
前記永久磁石のリング状の内径部分に、患者の指が、装着されたことを特徴とする請求項１記載の磁気治療器。
【請求項５】
前記永久磁石は、ベルト状であって、前記ベルトの厚み方向の着磁され、
同極が密着するように、ベルト状の永久磁石が密着され、
患者の腰、腕等の部位に巻かれたことを特徴とする請求項１記載の磁気治療器。
【請求項６】
厚み方向に着磁された磁気ゴムシートを、折り曲げて、同極の面を密着させて、折り曲げた磁気シートで構成される磁気治療器であって、
前記折り曲げ磁気シートが合成する磁場が、前記永久磁石の同極密着部位では円弧を描かず直線的に外側または遠位、または患部であれば深部に向かう性質を利用することで、患者の患部の深い部分や遠位にまで侵入し、前記永久磁石からの磁場が、患部の血流を向上することを特徴とする磁気治療。
【発明の詳細な説明】
【技術分野】
【０００１】
本発明は、複数の永久磁石を、同極同士を密着させた構成の磁気治療器に関する。
【背景技術】
【０００２】
従来の磁気治療器は、単一の永久磁石を複数個配置した構成の磁気治療器であり、これを患者の患部に貼り付けて、血流を改善していた。特許文献１には、基部の表層部に２個の着磁された磁性体を配置し、磁性体の上面を同極とする磁気治療器が開示されている。
【先行技術文献】
【特許文献】
【０００３】
【特許文献１】特許２００８−８００７０号公報
【発明の概要】
【発明が解決しようとする課題】
【０００４】
従来の磁気治療器は、磁場がＮ極から円弧を描いてＳ極に戻る性質を持った単一の永久磁石にて構成されているため、患者の患部の深い部分や患部から遠位の部分に到達する磁力線の数である磁場の強度には、限界があった。また、特許文献1の磁気治療器は、磁性体の上面を同極にしているが同極同士を密着させたものではなく、むしろ2個の着磁した磁性体が一定以上近づけば、すぐに反発してはなれるように意図されたものであり、同じく患者の患部に到達する磁場の強度には、限界があった。
【０００５】
本発明の課題は、永久磁石の磁場を、患者の患部の深部まで到達させ、患部の血流を改善する、治療効果の高い磁気治療器を提供することである。
【課題を解決するための手段】
【０００６】
本発明の請求項1に係る磁気治療器は、少なくとも2個以上の永久磁石が、同極が密着するように永久磁石が固定されて配置された磁気治療器であって、前記少なくとも2個以上の永久磁石の同極同士が合成する磁場が、前記永久磁石の同極密着部位では円弧を描かず直線的に外側または遠位または患部であれば深部に向かう性質を利用することで、患者の患部の深い部分や遠位にまで侵入し、前記永久磁石からの磁場が、患部の血流を向上することを特徴とする磁気治療器である。
【０００７】
本発明の請求項２に係る磁気治療器は、前記永久磁石の形状は、棒状、あるいは円盤状、あるいはリング状、あるいはＵ字型形状、あるいはシート状、あるいはテープ状、ベルト状、あるいは紐状のいずれかであることを特徴とする請求項１記載の磁気治療器である。
【０００８】
本発明の請求項３に係る磁気治療器は、前記永久磁石は、円盤状であって、厚み方向に着磁されていて、同極が密着され、固定金具が前記永久磁石に設置され、前記固定金具によって患者の耳たぶに配置されたことを特徴とする請求項１記載の磁気治療器である。
【０００９】
本発明の請求項４に係る磁気治療器は、前記永久磁石は、リング状であって、リング状の厚み方向に着磁されていて、同極が密着されて、前記永久磁石のリング状の内径部分に、患者の指が、装着されたことを特徴とする請求項１記載の磁気治療器である。
【００１０】
本発明の請求項５に係る磁気治療器は、前記永久磁石は、ベルト状であって、前記ベルトの厚み方向の着磁され、同極が密着するように、ベルト状の永久磁石が長手方法に密着され、患者の腰、腕等の部位に巻かれたことを特徴とする請求項１記載の磁気治療器である。
【００１１】
本発明の請求項６に係る磁気治療器は、厚み方向に着磁された磁気ゴムシートを、折り曲げて、同極の面を密着させて、折り曲げた磁気シートで構成される磁気治療器であって、
前記折り曲げ磁気シートが合成する磁場が、前記永久磁石の同極密着部位では円弧を描かず直線的に外側または遠位、または患部であれば深部に向かう性質を利用することで、患者の患部の深い部分や遠位にまで侵入し、前記永久磁石からの磁場が、患部の血流を向上することを特徴とする磁気治療である。
【発明の効果】
【００１２】
請求項１の磁気治療器によれば、永久磁石の磁場を、患者の患部の深部まで到達させ、
治療効果の高い磁気治療器を提供することができる。
【００１３】
請求項２の磁気治療器によれば、棒状永久磁石、円形永久磁石、リング状永久磁石、U字型永久磁石、シート状永久磁石、テープ状永久磁石、紐状永久磁石を用いた、治療効果の高い磁気治療器を提供することができる。
【００１４】
請求項３の磁気治療器によれば、治療効果の高い、イヤリング状の磁気治療器を提供することができる。
【００１５】
請求項４の磁気治療器によれば、治療効果の高い、指輪状の磁気治療器を提供することができる。
【００１６】
請求項５の磁気治療器によれば、治療効果の高い、ベルト状の磁気治療器を提供することができる。
【００１７】
請求項６の磁気治療器によれば、磁気ゴムシートの磁場を、患者の患部の深部まで到達させ、治療効果の高い磁気治療器を提供することができる。
【００１８】
本発明によれば、永久磁石の磁場を、患者の患部の深部まで到達させ、患部の血流を改善する、治療効果の高い磁気治療器を提供することができる。
【００１９】
更に、複数の永久磁石の、同極同士を密着させた構成の磁気治療器では、磁力線が、外側や遠位または深部まで到達する。そして、この磁気治療器の上に水を置くことによって水が磁化される。磁化された水は、甘い味に変わり飲みやすくなる。
【図面の簡単な説明】
【００２０】
【図１】実施例１の棒状永久磁石（長手方向着磁）を用いた磁気治療器。図１（ａ）は、棒状永久磁石１のＮ極と、棒状永久磁石２のＮ極とを密着させた磁気治療器の図であり、図１（ｂ）は、棒状永久磁石１のＳ極と、棒状永久磁石ＳのＮ極とを密着させた磁気治療器の図である。
【図２】実施例２の円形永久磁石（厚み方向着磁）を用いた磁気治療器。
【図３】実施例３のＵ字型永久磁石を用いた磁気治療器。
【図４】実施例４の磁気ゴムベルトを用いた磁気治療器。
【図５】実施例５の磁気ゴムシートを用いた磁気治療器。
【図６】実施例６の指輪状の磁気治療器。
【図７】実施例７のイヤリング状の磁気治療器。
【図８】永久磁石の同極同士を密着した状態での周辺の磁場を、砂鉄にて調べた結果。
【図９】永久磁石の異なる極同士を密着した状態での周辺の磁場を、砂鉄にて調べた結果。
【発明を実施するための形態】
【００２１】
本発明の実施の形態による磁気治療器は、少なくとも２個以上の永久磁石が、同極が密着するように永久磁石が固定して配置された磁気治療器であって、前記少なくとも2個以上の永久磁石の同極同士が合成する磁場が、前記永久磁石の同極密着部位では円弧を描かず直線的に外側または遠位、または患部であれば深部に向かう性質を利用することで、患者の患部の深い部分や遠位にまで侵入し、前記永久磁石からの磁場が、患部の血流を向上する磁気治療器である。
【００２２】
ここで、前記永久磁石の形状は、棒状、あるいは円盤状、あるいはリング状、あるいはＵ字型形状、あるいはシート状、あるいはテープ状、ベルト状、あるいは紐状のいずれかである。
【００２３】
本発明の実施の形態による磁気治療器は、永久磁石が、円盤状であって、厚み方向に着磁されていて、同極が密着され、固定金具が前記永久磁石に設置され、前記固定金具によって患者の耳たぶに配置された磁気治療器である。
【００２４】
本発明の実施の形態による磁気治療器は、永久磁石が、リング状であって、リング状の厚み方向に着磁されていて、同極が密着されて、前記永久磁石のリング状の内径部分に、患者の指が、装着された磁気治療器である。
【００２５】
本発明の実施の形態による磁気治療器は、前記永久磁石が、ベルト状であって、前記ベルトの厚み方向の着磁され、同極が密着するように、ベルト状の永久磁石が、長手方向に密着され、患者の腰、腕などの部位に巻かれた磁気治療器である。
【００２６】
本発明の実施の形態による磁気治療器は、厚み方向に着磁された磁気ゴムシートを、折り曲げて、同極の面を密着させて、折り曲げた磁気シートで構成される磁気治療器であって、  前記折り曲げ磁気シートが合成する磁場が、前記永久磁石の同極密着部位では円弧を描かず直線的に外側または遠位、または患部であれば深部に向かう性質を利用することで、患者の患部の深い部分や遠位にまで侵入し、前記永久磁石からの磁場が、患部の血流を向上する磁気治療である。
【実施例】
【００２７】
（実施例１）
図１は、実施例１の棒状永久磁石（長手方向着磁）を用いた磁気治療器である。
棒状永久磁石１，２、は、長手方向に着磁されており、着磁された同極同士を密着して磁気治療器を構成している。図１（ａ）は、棒状永久磁石１のＮ極と、棒状永久磁石２のＮ極とを密着させた磁気治療器の図であり、図１（ｂ）は、棒状永久磁石１のＳ極と、棒状永久磁石のＳ極とを密着させた磁気治療器の図である。
【００２８】
ここで、永久磁石の同極同士を密着することにより、合成された磁場を、より遠方まで及ぼすことが可能となる。
【００２９】
図８、図９は、永久磁石の異なる極同士を密着した状態での周辺の磁場について、同極、あるいは異極を密着した磁場での違いを砂鉄にて調べた結果である。明らかに、永久磁石の同極同士を密着した状態での方が、磁極の周辺の磁場を遠方まで、及ぼすことが可能となる。
【００３０】
実施例１の磁気治療器を、患者の患部に配置すると、永久磁石が合成する磁場が、患者患部の深い部位まで侵入し、前記永久磁石からの磁場が、患部の患部の血流を向上する。
【００３１】
（実施例２）
図２は、実施例２の円形永久磁石（厚み方向着磁）を用いた磁気治療器である。
円形永久磁石１０，２０、は、厚み方向に着磁されており、着磁された同極同士を密着して磁気治療器を構成している。図２（ａ）は、円形永久磁石１０のＮ極と、棒状永久磁石２０のＮ極とを密着させた磁気治療器の図であり、図２（ｂ）は、円形永久磁石１０のＳ極と、円形永久磁石２０のＳ極とを密着させた磁気治療器の図である。
【００３２】
ここで、永久磁石の同極同士を密着することにより、合成された磁場を、より遠方まで及ぼすことが可能となる。図８は、永久磁石の同極同士を密着した状態での周辺の磁場を、砂鉄にて調べた結果であり、また、図９は、永久磁石の異なる極同士を密着した状態での周辺の磁場を、砂鉄にて調べた結果である。明らかに、永久磁石の同極同士を密着した状態での方が、磁極の周辺の磁場を遠方まで、及ぼすことが可能となる。
【００３３】
実施例２の磁気治療器を、患者の患部に配置すると、永久磁石が合成する磁場が、患者患部の深い部位まで侵入し、前記永久磁石からの磁場が、患者の患部の血流を向上する。
【００３４】
（実施例３）
図３は、実施例３のＵ字型永久磁石を用いた磁気治療器である。２個のＵ字型の永久磁石、磁石Ａ、磁石Ｂが、長手方向に着磁されており、磁石Ａ、磁石ＢのＵ字型の永久磁石のＮ極同士、Ｓ極同士を密着させて磁気治療器を構成している。
【００３５】
実施例３の磁気治療器は、Ｕ字型永久磁石Ａ，Ｂが合成する磁場が、患者患部の深い部位まで侵入し、前記Ｕ字型永久磁石Ａ，Ｂからの磁場が、患部の血流を向上する。
【００３６】
（実施例４）
図４は、実施例４の磁気治療器である。２本の磁気ゴムベルト１００，２００を貼り付けた磁気治療器であって、各々の磁気ゴムベルト１００，２００は、厚み方向の着磁されている。お互いの磁気ゴムベルトのＮ極同士を貼り付けて磁気治療器を構成している。
患者が、本磁気治療器をベルトとして使用することにより、腰回りの皮膚表面の血行が改善され、腰痛に効果があり。
【００３７】
（実施例５）
図５は、実施例５の磁気治療器である。厚みの方向に着磁された磁気ゴムシートを、折り曲げて、同極を密着させた、折り曲げ磁気シートである。前記磁気ゴムシートは、患者の患部にあてがわれ、前記折り曲げ磁気シートからの磁場が、患者の患部の深い部位まで侵入し、患者の患部の血流が向上する。
【００３８】
（実施例６）
図６は、実施例６の磁気治療器である。２個リング状の永久磁石７０，８０を厚み方向に着磁し、Ｎ極同士、あるいはＳ極同士を密着し、指輪の形体とする。この指輪状の磁気治療器を、患者の指に装着すると、患者の指の血流を改善する効果がある。
【００３９】
（実施例７）
図７は、実施例７の磁気治療器である。２個の円形状の永久磁石５０，６０をその厚み方法に着磁して、Ｎ極同士、あるいはＳ極同士を密着し、金具を取り付けて、イヤリングを形成する。このイヤリング状の磁気治療器を、患者の耳に装着する。患者の耳の血流が改善される。
【００４０】
（実施例８）
実施例１〜７で説明した磁気治療器の症例につき、以下列記する。
１、32才  女性
生まれつきのアトピーでかゆみがとまらない。
腹部に磁石を貼って、お腹がすぐに温かくなりアトピーのかゆみが７割減った。
（実施例３の磁気治療器を患者のへその上に貼った）
２、27才  男性
６ヶ月の顎の痛みがあり、どこの病院に行ってもよくならなかったが、磁石を貼って１０分間、完全に消失した。
（実施例２の図２（ａ）の磁気治療器を両顎に貼った。）
３、77才  男性
左顔面にヘルペス感染による痛みがある。２ヶ月経ってもよくならない。
左頬に磁石を貼って痛みは半減した。
（実施例２の図２（ｂ）の磁気治療器を左頬に貼った。）
４、13才  女性
１週間こめかみを中心に頭痛が続いていたが、磁石を貼って数分で頭痛が消失した。
また、顔に湿疹とかゆみがあったが消失した。
（実施例３の磁気治療器を患者のおでこに貼った）
５、57才  女性
２ヶ月前より、朝起きると足首や足裏が痛くて歩けない。腕を伸ばして高いところにあるものをとれない。特に左腕をねじってとることは、痛くてできなかった。買い物の荷物が持てなかった。磁石を貼って９０％改善した。
（実施例３の磁気治療器を患者の左腕と、足首に貼った）
６、45才  女性
高血圧で肩こりがひどく、めまいもする。
両肩に磁石を貼ると、ものの数分で肩こりは消失した。
（実施例３の磁気治療器を患者の両腕に貼った）
７、9才  女性
２才からアトピー性皮膚炎が発生した。
さまざまな治療をしても全身の赤みやかゆみが消えなかったが、磁石をへその上に装着したら、２週間ほどで皮膚のカサカサやかゆみが半減した。
（実施例３の磁気治療器を患者のへその上に貼った）
８、66才  女性
両手両足のリウマチの症状がひどく、最近では首も痛くてまわらない。
磁石をつけると痛みは半減し、曲がらない手も曲がり始めた。
（実施例３の磁気治療器を患者の首と、右手、左手に貼った）
９、66才  女性
美容院で働いている。仕事に左手を使うことが多く、左手から左腕に仕事中に痛みが生じている。左腕に磁石を装着して左腕の痛みは３分の１になった。
（実施例３の磁気治療器を患者の左腕の伸側に貼った）
１０、56才  女性
糖尿病でインスリンを打っているが、毎日の血糖が不安定に上昇する。
そこで左手首に磁石をつけてもらったところ約２週間でインスリンの量を２Ｅ〜４Ｅ減らさなければならないほど糖尿病が改善した。
（実施例３の磁気治療器を患者の左手首に貼った）
１１、51才  男性
左足の甲が１週間前よりはれている。尿酸値が高く、痛風の症状である。
左足の甲に磁石を貼って３０分で左足をひきずるほどの痛みは１０分の１に減った。
（実施例３の磁気治療器を患者の左足の甲に貼った）
１２、28才  女性
２、３日前より常に胃のあたりに痛みがあるという。
痛みのある場所に磁石を貼ると数分で痛みは消失した。その後再発していない。
（実施例３の磁気治療器を患者の胃の上に貼った）
１３、55才  男性
左足の痛みが１か月前よりあり、歩くのに支障があった。
しかし、磁石を左足の裏に貼って寝てからは痛みが半減した。
（実施例３の磁気治療器を患者の左足の裏に貼った）
１４、33才  女性
リウマチで両手の第二関節が腫れ、両手首と両足膝におも痛みがあった。
磁石を右足の甲に装着後、右足の痛みは１０分の１に減少。左足の痛みも半減した。
（実施例３の磁気治療器を患者の左足に貼った）
１５、58才  男性
リウマチで両手の痛みが強い。
左手に磁石を装着後、痛みは半減した。
（実施例３の磁気治療器を患者の左手に貼った）
１６、48才  女性
腰が痛くて少しも前屈が出来ない。
磁石を２個、腰に貼ったところ痛みはなくなり、重苦しさだけが残った。
（実施例３の磁気治療器を患者の腰に２つ並べて貼った）
【００４１】
以下１７から３１までの症例は、（実施例３の磁気治療器を患者の患部に貼った。
１７、48才  女性
数年来の腰痛があったが、磁石のシートを腰に貼ったら痛みは３分の１になり、全身が温かくなって汗をかくほどであった。
１８、50才  女性
２・３年前から上半身を中心に全身のかゆみと湿疹があり来院した。特に乳首と陰部のかゆみが強かった。磁石をお腹に貼ってかゆみは消失した。
１９、47才  女性
歯や頭、肩、膝の痛みがあり、のどがすごく乾いてフラフラする。
お腹のへその上に磁石を貼った後、フラフラとめまいがする以外はすべて消失した。
２０、53才  女性
右膝を打撲し歩行に痛みがあり、びっこをひいていたが、磁石を貼ってからは右膝の痛みは９割減って普通に歩けるようになった。
２１、13才  女性
生後半年からのアトピー性皮膚炎。かゆみとカサカサがひどく、ステロイド軟膏を使うも改善しない。磁石をお腹に貼ってかゆみは消失した。
２２、27才  男性
幼少時からのアトピー性皮膚炎。全身、特に背中のひどいアトピーであった。
治療しても改善せずにいたが、お腹に磁石を貼ったら２週間で皮膚はかゆみも湿疹も大幅に改善した。
２３、24才  男性
幼少時からのアトピー性皮膚炎である。顔は赤鬼様顔貌で首も赤くてかゆい。目の周りは目を開けていられないほどのかゆみがあった。
へその上に磁石を貼ってから、かゆみはほとんど消えて目の痛みも消失した。
２４、59才  女性
半年前から、右手首と右手第一関節の痛みで通院している。親指を曲げたり、手首を曲げると痛んだ。右手首に磁石をまくと１週間で痛みは９割消失した。
２５、24才  女性
朝から下痢と吐気と腹痛があった。
すぐに磁石を胃の部分に置いたら、腹痛は数分で止まり、吐気は半分に減少した。
２６、32才  女性
気管支喘息の発作のため、息が思うように吸えなくて苦しい。
そこで、磁石を胸の中央部においたところ空気が吸えるようになり、呼吸困難もほどなく改善した。
２７、52才  男性
ここ数ヶ月一日も仕事を一日も休んでいない。頭がぼーっとして肩がガチガチに凝っており、頭が痛いという。
磁石を両肩に１個ずつ装着して３０分後、凝りも頭痛も、頭がぼーっとする感じも日ごろの疲れも消失した。
２８、67才  男性
肺癌の転移で右の脇の下が痛くて、１週間以上苦しんでいた。
そこで磁石を右の脇の下に貼ったところ、３０分後には痛みは消失した。
２９、62才  男性
大腸癌で肝臓にも転移している。体が重くて歩くのにも支障があり、やっとのことで人に支えられて歩いている。
ところが磁石を肝臓の辺りに貼って数分すると、体の重さがとれ、自分一人でなんとか歩けるようになった。
３０、55才  男性
尿が、糖尿病のため茶色になっていたが、磁石を左足に貼ってからは、尿の色がきれいな黄色に戻り、血糖値も下がった。
３１、52才  女性
常に頭が痛く、最近では足の裏に痛みがある。
そこで磁石を足に貼ったところ、頭の痛みはすーっと消えて、足の裏の痛みも３分の１に減少した。
【産業上の利用可能性】
【００４２】
本発明の磁気治療によれば、永久磁石の磁場を、患者の患部の深部まで到達させることが可能で、患部の血流を改善し、且つ、患部の筋肉の筋電流を抑制する効果と、さらに、外部からの電磁波のよる電磁波障害を抑制する効果を持つ、治療効果の高い磁気治療器を提供することができ、産業の発展、および医療の発展に寄与する。
【符号の説明】
【００４３】
１、２    棒状永久磁石（長手方向着磁）
１０，２０，５０，６０    円形永久磁石（厚み方向着磁）
７０，８０    リング状の永久磁石
１００，２００    ベルト形状の磁気ゴムシート（厚み方向の着磁）
【図１】
2015139474.tif 000003
【図２】
2015139474.tif 000004
【図３】
2015139474.tif 000005
【図４】
2015139474.tif 000006
【図５】
2015139474.tif 000007
【図６】
2015139474.tif 000008
【図７】
2015139474.tif 000009
【図８】
2015139474.tif 000010
【図９】
2015139474.tif 000011